(57)【要約】【課題】臭いの発生の抑制と節水性能の向上とを両立した小便器装置を提供することを目的とする。【解決手段】小便器装置１は、洗浄動作において、前回第１の洗浄水供給手段５０による第１の洗浄を行った後の小便器装置１の使用回数が５回未満（第１の所定回数未満）であった場合は第２の洗浄水供給手段６０による第２の洗浄を行う一方で、前回第１の洗浄水供給手段５０による第１の洗浄を行ってからの小便器装置１の使用回数が５回（第１の所定回数）であった場合は第１の洗浄水供給手段５０による第１の洗浄を行う。【選択図】図５
2017160654.tif 000002
【特許請求の範囲】
【請求項１】
洗浄水によりボウル部を洗浄する小便器装置であって、
人体を検知する人体検知手段と、
前記ボウル部に洗浄水を供給する第１の洗浄水供給手段と、
前記第１の洗浄水供給手段が供給する洗浄水の量よりも少ない量の洗浄水を前記ボウル部に供給する第２の洗浄水供給手段と、
前記第１の洗浄水供給手段及び前記第２の洗浄水供給手段から前記ボウル部への洗浄水の供給を制御する制御手段と、
を備え、
前記人体検知手段による検知に基づき、前記第１の洗浄水供給手段から前記ボウル部へ洗浄水を供給させる第１の洗浄と、前記第２の洗浄水供給手段から前記ボウル部へ洗浄水を供給させる第２の洗浄と、のいずれか一方を行う洗浄動作を行い、
前記制御手段は、
前記洗浄動作を行う時に、前記小便器装置の使用状況に応じて前記第１の洗浄と前記第２の洗浄のどちらを行うかを判断する小便器装置。
【請求項２】
前記制御手段は、
前記洗浄動作を行う時に、前回前記第１の洗浄を行った後の前記小便器装置の使用回数が第１の所定回数未満であった場合は前記第２の洗浄を行う一方で、前回前記第１の洗浄を行った後の前記小便器装置の使用回数が第１の所定回数であった場合は前記第１の洗浄を行う請求項１に記載の小便器装置。
【請求項３】
前記制御手段は、
前記洗浄動作を行う時に、前回前記第１の洗浄を行ってからの経過時間が第１の所定時間未満であった場合は前記第２の洗浄を行う一方で、前回前記第１の洗浄を行ってからの経過時間が第１の所定時間以上であった場合は前記第１の洗浄を行う請求項１又は２に記載の小便器装置。
【請求項４】
前記第１の洗浄水供給手段から供給される水は液膜状の水である請求項１乃至３のいずれか１項に記載の小便器装置。
【請求項５】
前記第２の洗浄は、少なくとも前記ボウル部中央を洗浄する請求項１乃至４のいずれか１項に記載の小便器装置。
【発明の詳細な説明】
【技術分野】
【０００１】
本発明は、洗浄水によりボウル部を洗浄する小便器装置に関する。
【０００２】
従来において、使用後にボウル部へ洗浄水を供給する水洗式の小便器が知られている。水洗式の小便器は、小便器のボウル部を洗浄するときに、ボウル部の表面に付着した尿および体毛などの異物の除去、ならびにトラップ部の封水の置換を行う必要があるため、比較的多い量の水を比較的速い流速で流す必要がある。そこで、水がボウル部の外側に飛び出すことを抑制するため、水が供給されるボウル部の領域と、水が供給されないボウル部の領域と、が発生する。水が供給されないボウル部の領域に付着した尿は、ボウル部に供給される水によっては流れず定着し続ける。そのため、水が供給されないボウル部の領域は、臭いの発生源となる。
【０００３】
上記の課題を解決する小便器装置として、供給する水の量が異なる複数の洗浄手段を有し、供給する水の量が少ない洗浄水供給手段によって通常では水が供給されないボウル部の領域に洗浄水を供給するものが提案されている（特許文献１）。これにより、通常では水が供給されないボウル部の領域に付着した尿から発生するアンモニアによる臭いを抑制することができる。
【先行技術文献】
【特許文献】
【０００４】
【特許文献１】特開２０１５−１８３５０６号公報
【発明の概要】
【発明が解決しようとする課題】
【０００５】
しかし、特許文献１の小便器装置は、小便器が使用される毎に複数の洗浄手段を実施するため、節水性能の面では改善の余地がある。
【０００６】
本発明は、上述した課題を解決するためになされたものであり、臭いの発生の抑制と節水性能の向上とを両立した小便器装置を提供することを目的とする。
【課題を解決するための手段】
【０００７】
本発明の一態様に係る小便器装置は、洗浄水によりボウル部を洗浄する小便器装置であって、人体を検知する人体検知手段と、ボウル部に洗浄水を供給する第１の洗浄水供給手段と、第１の洗浄水供給手段が供給する洗浄水の量よりも少ない量の洗浄水を前記ボウル部に供給する第２の洗浄水供給手段と、第１の洗浄水供給手段及び第２の洗浄水供給手段からボウル部への洗浄水の供給を制御する制御手段と、を備え、人体検知手段による検知に基づき、第１の洗浄水供給手段からボウル部へ洗浄水を供給させる第１の洗浄と、第２の洗浄水供給手段からボウル部へ洗浄水を供給させる第２の洗浄と、のいずれか一方を行う洗浄動作を行い、制御手段は、洗浄動作を行う時に、小便器装置の使用状況に応じて第１の洗浄と第２の洗浄のどちらを行うかを判断する。
【０００８】
このように構成された小便器装置によれば、洗浄動作を行う時に、小便器装置の使用状況に応じて洗浄水量の多い第１の洗浄を行うか洗浄水量の少ない第２の洗浄を行うかを判断する。これにより、小便器装置の使用状況に応じて第１の洗浄と第２の洗浄を効率よく使い分けることができるため、臭いの発生の抑制と節水性能の向上とを両立することができる。
【０００９】
また、本発明の一態様に係る小便器装置において、制御手段は、洗浄動作を行う時に、前回第１の洗浄を行った後の小便器装置の使用回数が第１の所定回数未満であった場合は第２の洗浄を行う一方で、前回第１の洗浄を行ってからの小便器装置の使用回数が第１の所定回数であった場合は第１の洗浄を行ってもよい。
【００１０】
このように構成された小便器装置によれば、洗浄動作を行う時に、前回第１の洗浄を行った後の小便器装置の使用回数が第１の所定回数未満であった場合は洗浄水量の少ない第２の洗浄を行う一方で、第１の洗浄を行ってからの前記小便器装置の使用回数が第１の所定回数であった場合は洗浄水量の多い第１の洗浄を行う。これにより、臭いの発生の抑制と節水性能の向上とを両立することができる。
【００１１】
また、本発明の一態様に係る小便器装置において、制御手段は、洗浄動作を行う時に、前回第１の洗浄を行ってからの経過時間が第１の所定時間未満であった場合は第２の洗浄を行う一方で、前回第１の洗浄を行ってからの経過時間が第１の所定時間以上であった場合は第１の洗浄を行ってもよい。
【００１２】
このように構成された小便器装置によれば、洗浄動作を行う時に、前回第１の洗浄を行ってからの経過時間が第１の所定時間未満であった場合は洗浄水量の少ない第２の洗浄を行う一方で、前回第１の洗浄を行ってからの経過時間が第１の所定時間以上であった場合は洗浄水量の多い第１の洗浄を行う。これにより、洗浄水量の異なる第１の洗浄及び第２の洗浄を効率よく使い分けることで、臭いの発生の抑制と節水性能の向上とを両立させることができる。
【００１３】
また、本発明の一態様に係る小便器装置において、第１の洗浄水供給手段から供給される水は液膜状の水であってもよい。
【００１４】
このように構成された小便器装置によれば、第１の洗浄において液膜状の水を洗浄水として使用することで、ボウル部に張り付いた体毛等の流しにくい汚れを表面から浮き上がらせ、効率良く小便器本体の洗浄を行うことができる。
【００１５】
また、本発明の一態様に係る小便器装置において、第２の洗浄は、少なくともボウル部中央を洗浄してもよい。
【００１６】
このように構成された小便器装置によれば、第２の洗浄において尿が付着しやすいボウル部中央を洗浄することで、効率良く小便器本体の洗浄を行うことができる。
【発明の効果】
【００１７】
本発明の小便器装置によれば、臭いの発生の抑制と節水性能の向上とを両立することができる。
【図面の簡単な説明】
【００１８】
【図１】本実施形態における小便器装置の構成を示すブロック図である。
【図２】本実施形態における小便器本体の全体斜視図である。
【図３】本実施形態における第１の洗浄水供給手段によって洗浄されるボウル部の領域を示した図である。
【図４】本実施形態における第２の洗浄水供給手段によって洗浄されるボウル部の領域を示した図である。
【図５】本実施形態における小便器装置の洗浄動作の制御フローを説明するためのフローチャート図である。
【図６】他の実施形態における小便器装置の洗浄動作の制御フローを説明するためのフローチャート図である。
【発明を実施するための形態】
【００１９】
＜小便器装置の構成＞
まず、図１，２を参照して、本実施形態における小便器装置について説明する。図１は、本実施形態における小便器装置の構成を示すブロック図である。図２は、本実施形態における小便器本体の全体斜視図である。
【００２０】
図１，２に示すように、小便器装置１は、小便器本体１０と、人体検知手段２０と、流路切替弁３０と、機能水生成手段４０と、第１の洗浄水供給手段５０と、第２の洗浄水供給手段６０と、制御手段７０と、を備える。
【００２１】
小便器本体１０は、ボウル部１１と、排水トラップ１２と、側面１３と、リップ部１４と、を有する。排水トラップ１２は、ボウル部１１の下流側に設けられ、排水トラップ１２の内部において封水を形成する。これにより、排水トラップ１２は、小便器装置１の後方に設けられた図示しない横引排水配管などから悪臭や害虫類などがトイレ室などに侵入することを防止することができる。なお、本明細書において「リップ部」とは、小便器本体１０の下部において、小便器本体１０の側面１３から前方へ突出した部分をいう。
【００２２】
人体検知手段２０は、小便器本体１０の前方にいる使用者、すなわち小便器本体１０から前方へ離間した位置に存在する使用者を検知することができる赤外線投受光式の測距センサである。
【００２３】
流路切替弁３０は、制御手段７０から送信された信号に基づいて、給水源５（例えば水道あるいはタンクなど）から供給された水が第１の洗浄水供給手段５０へ導かれる状態と、給水源５から供給された水が第２の洗浄水供給手段６０へと導かれる状態と、を切り替える。
【００２４】
第１の洗浄水供給手段５０は、スプレッダ５１を有し、流路切替弁３０を介して給水源５から供給された水を液膜状の水にして小便器本体１０のボウル部１１に供給する。
【００２５】
第２の洗浄水供給手段６０は、散水部６１を有し、流路切替弁３０を介して給水源５から供給された水を液滴化して散水部６１から小便器本体１０のボウル部１１に供給する。散水部６１から小便器本体１０のボウル部１１に供給された水は、アンモニアを溶解することができる。第２の洗浄水供給手段６０が散水する液滴化された水の径は、例えば約１０マイクロメートル（μｍ）以上１２０００μｍ以下である。
【００２６】
制御手段７０は、カウンター７１と、タイマー７２と、を有する。カウンター７１は、前回第１の洗浄水供給手段５０から小便器本体１０へ洗浄水の供給を行った後の小便器装置１の使用回数をカウントするためのものである。タイマー７２は、前回第１の洗浄水供給手段５０から小便器本体１０のボウル部１１へ洗浄水の供給を行ってからの経過時間を計測するためのものである。
【００２７】
ここで、アンモニアの発生のメカニズムは、例えば次の通りである。
すなわち、便器に排尿がなされると、尿は、便器の表面に付着したり、トラップ部の封水（滞留水）に滞留したりする。滞留した尿に、空気中や便器表面等に存在する一般細菌が付着する。一般細菌は尿から栄養を吸収し、ウレアーゼ酵素を出す活動が活性化され、ウレアーゼ酵素より尿素の分解抑制が促進される。尿素はアンモニアと二酸化炭素に分解され、そのアンモニアが悪臭の一因となる。また、発生したアンモニアにより、分解物の水素イオン濃度（ｐＨ）がアルカリ性に偏り、ｐＨが８．０から８．５を超えてアルカリ性に偏ると、尿中に溶解していたカルシウムイオンが、難溶性のカルシウム化合物（リン酸カルシウム等、また一般的に尿石と呼ばれる）になる。この尿石が菌の温床となり、加速度的にこれまでの過程を繰り返し、一層のアンモニアを発生させることになる。
【００２８】
機能水生成手段４０は、制御手段７０から送信された信号に基づいて、流路切替弁３０を介して給水源５から供給された水により機能水を生成することができる。機能水は、アンモニアを溶解および分解することができる。
【００２９】
機能水生成手段４０は、図示しない陽極板および図示しない陰極板を内部に有し、制御手段７０から送信される信号に基づいて、内部を流れる水道水や雑用水を電気分解できる。ここで、水道水は、塩化物イオンを含んでいる。塩化物イオンは、水源（例えば、地下水や、ダムの水や、河川などの水）に食塩（ＮａＣｌ）や塩化カルシウム（ＣａＣｌ２）などとして含まれている。そのため、塩化物イオンを電気分解することにより次亜塩素酸が生成される。その結果、機能水生成手段４０において電気分解された水（電解水）は、次亜塩素酸を含む液（機能水）に変化する。
次亜塩素酸は、消臭成分あるいは殺菌成分として機能する。次亜塩素酸を含む液は、アンモニアを溶解したり、分解したり、あるいは一般殺菌などを殺菌することができる。
【００３０】
機能水生成手段４０が制御手段７０から送信される信号に基づいて機能水を生成する場合には、第２の洗浄水供給手段６０は、機能水生成手段４０において生成された機能水を散水部６１から小便器本体１０のボウル部１１に供給する。
一方で、機能水生成手段４０が機能水を生成しない場合には、第２の洗浄水供給手段６０は、流路切替弁３０および機能水生成手段４０を介して給水源５から供給された水（この水を真水と呼ぶ。真水は給水源５から供給される水道水や雑用水である。）を散水部６１から小便器本体１０のボウル部１１に供給する。
【００３１】
本実施形態によれば、第１の洗浄水供給手段５０は、小便器本体１０のボウル部１１に液膜状の水を供給し、小便器本体１０に付着した尿を除去し、例えば体毛などの異物を除去することができる。体毛などの汚れは水の表面張力でボウル部１１に張り付く性質があるため、液膜状の水で洗浄することでボウル部１１に張り付いた体毛を浮き上がらせ、効率よく洗い流すことができる。
また、第１の洗浄水供給手段５０および第２の洗浄水供給手段６０は、小便器本体１０の排水トラップ１２に水を供給し、排水トラップ１２の内部の封水を新たに供給された水で置換することができる。
【００３２】
図２に示すように、第２の洗浄水供給手段６０の散水部６１は、小便器本体１０のボウル部１１の上部に設けられている。散水部６１は、ボウル部１１の下方へ液滴化された水を散水する。ここでいう「下方」とは、鉛直方向の下向きに限定されず、水平方向から下側の方向を含む。つまり、ここでいう「下方」とは、水平方向および水平方向よりも上側の方向を除く方向をいう。
【００３３】
これによれば、散水部６１がボウル部１１の上部から下方へ液滴化された水を散水するため、ボウル部１１の内部には、散水部６１から下方へ向かう気流が発生する。そのため、ボウル部１１の内部で発生した気流は、アンモニアの上昇を抑えることができる。また、散水部６１から散水された水は、アンモニアを溶解する。さらに、散水された水が次亜塩素酸を含む機能水である場合には、アンモニアの溶解に加え、アンモニアを無臭物質に分解する。これにより、使用者は、小便器装置１から発生するアンモニアによる臭いを感じにくくなる。
【００３４】
また、液滴化された水を散水することにより、ボウル部１１の表面にあるアンモニア発生源付近のアンモニアによる臭いを抑制することができることに加え、液滴が空間を通過する際に、空間中に存在するアンモニアによる臭いをも抑制することができる。さらに、単位水量あたりの水の表面積については、第１の洗浄水供給手段５０から供給されるボウル部１１の表面を伝う水の状態よりも、液滴化された水において著しく広くすることができる。結果、水がアンモニアと接触する面積を増やし、効率的に臭いを抑制することができる。空間中に存在する臭いは、尿を起因するアンモニアのみならず、使用者が排尿した後の尿そのものの臭い（例えばコーヒー臭などのような摂取した食物由来の臭い）もある。その臭いについても、液滴化された水の散水により臭いを抑制することが可能である。
【００３５】
＜小便器装置の洗浄範囲＞
次に、図３，４を参照して、本実施形態における小便器装置の洗浄範囲について説明する。図３は、本実施形態における第１の洗浄水供給手段によって洗浄されるボウル部の領域を示した図である。図４は、本実施形態における第２の洗浄水供給手段によって洗浄されるボウル部の領域を示した図である。
【００３６】
図３に示すように、小便器本体１０のボウル部１１の内部領域には、ボウル部１１中央の領域である第１の領域１１ａと、第１の領域１１ａの左右両側（横側）の領域である第２の領域１１ｂと、リップ部１４の内側面である第３の領域１１ｃと、が存在する。
【００３７】
第１の洗浄水供給手段５０のスプレッダ５１は、小便器本体１０のボウル部１１の上部に設けられている。ボウル部１１中央の領域である第１の領域１１ａは、スプレッダ５１から供給される水によって洗浄される。ただし、ボウル部１１の第２の領域１１ｂおよび第３の領域１１ｃは、スプレッダ５１から供給される水によっては洗浄されない。つまり、第１の洗浄水供給手段５０のスプレッダ５１から供給される水によって洗浄される領域は、ボウル部１１中央の領域である第１の領域１１ａである。
【００３８】
図４に示す第４の領域１１ｄは、ボウル部１１の内部領域であって、第２の洗浄水供給手段６０の散水部６１から供給される水によって洗浄される領域である。第４の領域１１ｄは、ボウル部１１の中央領域である第１の領域１１ａを含み、第２の領域１１ｂのうちの少なくとも一部を含む。また、第４の領域１１ｄは、第３の領域１１ｃのうちの少なくとも一部を含む。このように、第２の洗浄水供給手段６０の散水部６１は、ボウル部１１の略全体に水を供給する。
【００３９】
第２の洗浄水供給手段６０が１回の動作でボウル部１１に供給する水の量は、第１の洗浄水供給手段５０が１回の動作でボウル部１１に供給する水の量よりも少ない。第２の洗浄水供給手段６０が１回の動作でボウル部１１に供給する水の量は、例えば約３００ミリリットル毎分（ｍＬ／ｍｉｎ）以上６００ｍＬ／ｍｉｎ以下程度である。第１の洗浄水供給手段５０が１回の動作でボウル部１１に供給する水の量は、例えば約８リットル毎分（Ｌ／ｍｉｎ）以上１３Ｌ／ｍｉｎ以下程度である。
【００４０】
これによれば、第２の洗浄水供給手段６０は、第１の洗浄水供給手段５０から供給される水によっては洗浄されないボウル部１１の内部領域（第２の領域１１ｂおよび第３の領域１１ｃ）のうちの少なくとも一部を比較的少量の水で効率的に洗浄することができる。そのため、節水を実現することができる。
【００４１】
使用者の排尿行為は、ボウル部１１から尿が飛び出さないようボウル部１１の左右中央領域になされるものである。従って、小便器本体１０のボウル部１１の左右中央領域上部に取り付けられたスプレッダ５１の直下の領域には、使用者からの多量の尿が全面的に付着することとなる。第１の洗浄水供給手段５０からスプレッダ５１の直下の領域に多量の水を全面的に供給し、尿をボウル部１１から洗い流すことにより、尿を起因とするアンモニアガスの発生を抑制することができる。一方、スプレッダ５１の横側を含む領域には、使用者からの尿の飛び散りが局所的に付着することになる。
【００４２】
これに対して、図４に示したように、散水部６１は、散水部６１自身の横側の付近に水を散水し供給するため、散水部６１の横側の付近を洗浄することができる。そのため、散水部６１から散水された水は、使用者からの尿が局所的に付着し、その尿を起因とするアンモニアガスを溶解することができる。あるいは、散水部６１から散水された水は、散水部６１の付近でボウル部１１の表面を洗浄することができる。これにより、小便器装置１から発生するアンモニアによる臭いを抑制することができる。
【００４３】
第１の洗浄水供給手段５０から供給される水によっては洗浄されない領域には、第３の領域１１ｃが含まれる。第３の領域１１ｃは、リップ部１４の先端部を含む。リップ部１４には、尿が比較的付着しやすい。
これに対して、第２の洗浄水供給手段６０は、リップ部１４の先端部に水を散水し供給することができる。これにより、小便器装置１から発生するアンモニアによる臭いを抑制することができる。
【００４４】
第１の洗浄水供給手段５０からボウル部１１に供給された水は、ボウル部１１の表面を伝って下方へ流れる。第２の洗浄水供給手段６０からボウル部１１に供給された水であってボウル部１１の表面に付着した水は、ボウル部１１の表面を伝って下方へ流れる。このとき、第２の洗浄水供給手段６０からボウル部１１に供給されボウル部１１の表面を伝う水の速度は、第１の洗浄水供給手段５０からボウル部１１に供給されボウル部１１の表面を伝う水の速度よりも遅い。また、第２の洗浄水供給手段６０がボウル部１１に供給する水は、液滴化された水である。
【００４５】
これによれば、第２の洗浄水供給手段６０から供給されボウル部１１の表面を伝う水は、第１の洗浄水供給手段５０から供給されボウル部１１の表面を伝う水よりも、ボウル部１１への接触時間を長くすることができ、尿への作用時間を長くすることができる。したがって、比較的少ない流量の水でボウル部１１の表面の汚れを洗い流し、ボウル部１１を効率的に洗浄することができる。これにより、小便器装置１から発生するアンモニアによる臭いを抑制することができる。
【００４６】
＜小便器装置の洗浄動作における制御フロー＞
次に、図５を参照して、本実施形態における小便器装置の洗浄動作の制御フローについて説明する。図５は、本実施形態における小便器装置の洗浄動作の制御フローを説明するためのフローチャート図である。
【００４７】
まずステップＳ１において、制御手段７０は、人体検知手段２０が小便器本体１０の前方に使用者を検知しているか否かを判断する（ステップＳ１）。人体検知手段２０が小便器本体１０の前方に使用者を検知していない場合、制御手段７０は、使用者を検知するまでこの判断を繰り返す。
【００４８】
ステップＳ１において人体検知手段２０が小便器本体１０の前方に使用者を検知した場合、制御手段７０は、検知した使用者が小便器本体１０の前方から離れたか否か、つまり使用者が排尿を終えたか否かを判断する（ステップＳ２）。制御手段７０は、使用者が小便器本体１０の前方から離れるまで、つまり使用者が排尿を終えるまでこの判断を繰り返す。
【００４９】
ステップＳ２において使用者が小便器本体１０の前方から離れた場合、制御手段７０は、カウンター７１のカウント数が５であるか否かを判断する（ステップＳ３）。つまり、ステップＳ３において制御手段７０は、前回第１の洗浄水供給手段５０から小便器本体１０のボウル部１１へ洗浄水を供給させる第１の洗浄を行った後の小便器装置１の使用回数が５回であるか否かを判断する。ステップＳ３においてカウンター７１のカウント数が５であった場合、制御手段７０は、第１の洗浄水供給手段５０のスプレッダ５１から小便器本体１０のボウル部１１へ水を供給させる、いわゆる第１の洗浄を行う（ステップＳ４）。その後、カウンター７１のカウント数を０にリセットし（ステップＳ５）、小便器装置１の洗浄動作についての制御を終了する。
【００５０】
ステップＳ３においてカウンター７１のカウント数が５未満であった場合、制御手段７０は、第２の洗浄水供給手段６０の散水部６１から小便器本体１０のボウル部１１へ水を供給させる、いわゆる第２の洗浄を行う（ステップＳ６）。その後、制御手段７０は、カウンター７１のカウント数を＋１増やし（ステップＳ７）、小便器装置１の洗浄動作についての制御を終了する。
【００５１】
以上説明した制御フローにより小便器装置１の洗浄動作を行うことで、小便器装置１は、洗浄動作において、前回第１の洗浄水供給手段５０による第１の洗浄を行った後の小便器装置１の使用回数が５回未満（第１の所定回数未満）であった場合は第２の洗浄水供給手段６０による第２の洗浄を行う一方で、前回第１の洗浄水供給手段５０による第１の洗浄を行ってからの小便器装置１の使用回数が５回（第１の所定回数）であった場合は第１の洗浄水供給手段５０による第１の洗浄を行う。
【００５２】
ここで、図６を参照して、他の実施形態における小便器装置の洗浄動作の制御フローについて説明する。図６は、他の実施形態における小便器装置の洗浄動作の制御フローを説明するためのフローチャート図である。
【００５３】
図６におけるステップＳ１０１およびステップＳ１０２は、図５におけるステップＳ１およびステップＳ２と同様の制御である。
【００５４】
ステップＳ１０２において使用者が小便器本体１０の前方から離れた場合、制御手段７０は、タイマー７２がスタートしてから１時間以上経過したか否かを判断する（ステップＳ１０３）。つまり、ステップＳ１０３において制御手段７０は、前回第１の洗浄水供給手段５０から小便器本体１０へ洗浄水を供給させる第１の洗浄を行ってからの経過時間が１時間以上であるか否かを判断する。ステップＳ１０３においてタイマー７２がスタートしてから１時間未満であった場合、制御手段７０は、小便器の使用が初回であるか否かを判断する（ステップＳ１０４）。ステップＳ１０４において小便器の使用が初回である場合、もしくはステップＳ１０３においてタイマー７２がスタートしてから１時間以上経過していた場合、制御手段７０は、第１の洗浄水供給手段５０のスプレッダ５１から小便器本体１０のボウル部１１へ水を供給させる、いわゆる第１の洗浄を行う（ステップＳ１０５）。その後、タイマー７２のカウントを０にリセットしてからタイマー７２をスタートさせ（ステップＳ１０６）、小便器装置１の洗浄動作についての制御を終了する。
【００５５】
ステップＳ１０４において小便器の使用が初回でない場合、制御手段７０は、第２の洗浄水供給手段６０の散水部６１から小便器本体１０のボウル部１１へ水を供給させる、いわゆる第２の洗浄を行う（ステップＳ１０７）。その後、小便器装置１の洗浄動作についての制御を終了する。
【００５６】
以上説明した図６の制御フローにより小便器装置１の洗浄動作を行うことで、小便器装置１は、洗浄動作において、前回第１の洗浄水供給手段５０による第１の洗浄を行ってからの経過時間が１時間（第１の所定時間）未満であった場合は第２の洗浄水供給手段６０による第２の洗浄を行う一方で、前回第１の洗浄水供給手段５０による第１の洗浄を行ってからの経過時間が１時間（第１の所定時間）以上であった場合は第１の洗浄水供給手段５０による第１の洗浄を行う。
【００５７】
＜作用・効果＞
次に、本実施形態における小便器装置の作用効果を説明する。
【００５８】
本実施形態の小便器装置１によれば、制御手段７０は、洗浄動作を行うときに前回第１の洗浄水供給手段５０から小便器本体１０へ洗浄水を供給させる第１の洗浄を行ってからの小便器装置１の使用回数が５回であるか否かを判断する。そして、前回第１の洗浄水供給手段５０による第１の洗浄を行ってからの小便器装置１の使用回数が５回（第１の所定回数）未満であった場合は第２の洗浄水供給手段６０による第２の洗浄を行う一方で、前回第１の洗浄水供給手段５０による第１の洗浄を行ってからの小便器装置１の使用回数が５回（第１の所定回数）であった場合は第１の洗浄水供給手段５０による第１の洗浄を行う。これにより、洗浄水量の異なる第１の洗浄及び第２の洗浄を効率よく使い分けることで、臭いの発生の抑制と節水性能の向上とを両立させることができる。
【００５９】
また、図６に示した他の実施形態において、制御手段７０は、洗浄動作を行うときに前回第１の洗浄水供給手段５０から小便器本体１０へ洗浄水を供給させる第１の洗浄を行ってからの経過時間が１時間以上であるか否かを判断する。そして、前回第１の洗浄水供給手段５０による第１の洗浄を行ってからの経過時間が１時間（第１の所定時間）未満であった場合は第２の洗浄水供給手段６０による第２の洗浄を行う一方で、前回第１の洗浄水供給手段５０による第１の洗浄を行ってからの経過時間が１時間（第１の所定時間）以上であった場合は第１の洗浄水供給手段５０による第１の洗浄を行う。これにより、洗浄水量の異なる第１の洗浄及び第２の洗浄を効率よく使い分けることで、臭いの発生の抑制と節水性能の向上とを両立させることができる。
【００６０】
また、第１の洗浄水供給手段５０のスプレッダ５１から小便器本体１０のボウル部１１へ供給される水は、液膜状の水である。これにより、第１の洗浄において、ボウル部に張り付いた体毛等の流しにくい汚れを表面から浮き上がらせ、効率良く小便器本体の洗浄を行うことができる。
【００６１】
また、第２の洗浄によって洗浄される第４の領域１１ｄは、ボウル部１１の中央領域である第１の領域１１ａを含む。これにより、第２の洗浄において尿が付着しやすいボウル部中央を洗浄することで、効率良く小便器本体の洗浄を行うことができる。
【００６２】
以上、本願の開示する技術の実施形態について説明したが、本願の開示する技術は、上記に限定されるものではない。
【００６３】
例えば、小便器本体１０の洗浄動作を行う時に、前回第１の洗浄水供給手段５０のスプレッダ５１から小便器本体１０のボウル部１１へ洗浄水を供給してからの小便器装置１の使用回数が５回未満（第１の所定回数未満）であったものの、前回第１の洗浄水供給手段５０のスプレッダ５１から小便器本体１０のボウル部１１へ洗浄水を供給してからの経過時間が１時間以上（第１の所定時間以上）であった場合に、第１の洗浄水供給手段５０のスプレッダ５１からの第１の洗浄を行うこととしてもよい。
【００６４】
また、上記実施形態においては、機能水生成手段４０において生成される機能水が、次亜塩素酸を含む液であるとしたが、本発明はこれに限らず、機能水生成手段４０において生成される機能水は、銀イオンや銅イオンなどの金属イオンを含む液であってもよい。あるいは、機能水生成手段４０において生成される機能水は、電解塩素やオゾンなどを含む液であってもよい。あるいは、機能水生成手段４０において生成される機能水は、酸性水やアルカリ水であってもよい。これらの中でも、次亜塩素酸を含む溶液は、アンモニアをより溶解および分解することができる。また、機能水生成手段４０は、陽極板および陰極板を有する電解槽ユニットに限定されるわけではない。
【００６５】
また、上記実施形態においては、人体検知手段２０として、赤外線投受光式の測距センサを用いたが、本発明はこれに限らず、焦電センサや、ドップラーセンサなどのマイクロ波センサなどを用いてもよい。
【００６６】
前述した各実施の形態が備える各要素は、技術的に可能な限りにおいて組み合わせることができ、これらを組み合わせたものも本発明の特徴を含む限り本発明の範囲に包含される。
【符号の説明】
【００６７】
１        小便器装置
５        給水源
１０      小便器本体
１１      ボウル部
１２      排水トラップ
１３      側面
１４      リップ部
２０      人体検知手段
３０      流路切替弁
４０      機能水生成手段
５０      第１の洗浄水供給手段
５１      スプレッダ
６０      第２の洗浄水供給手段
７０      制御手段
７１      カウンター
７２      タイマー
【図１】
2017160654.tif 000003
【図２】
2017160654.tif 000004
【図３】
2017160654.tif 000005
【図４】
2017160654.tif 000006
【図５】
2017160654.tif 000007
【図６】
2017160654.tif 000008